(57)【要約】【課題】灯具ハウジング内部の結露もしくは水蒸気がバラストハウジング内部へ吸い込まれてもバラスト回路基板や部品端子を腐食させない放電灯点灯装置を提供すること。【解決手段】バラスト回路基板１６は、バラストハウジング５の天井部１７に天井部１７に沿って設置される。このため、バラストハウジング５内部に浸入した結露もしくは水蒸気によってバラスト回路基板１６が濡れることを防止できる。【選択図】図２
2006164951.tif 000002
【特許請求の範囲】
【請求項１】
灯具ハウジングの外側にバラストを設けるとともに、バラストハウジング内側と前記灯具ハウジング内側とを電気的に接続するためのコネクタを有する放電灯点灯装置において、
前記バラストを前記灯具ハウジングの底面に設けるとともに、バラスト回路基板を前記バラストハウジング内の灯具側に設けたことを特徴とする放電灯点灯装置。
【請求項２】
前記コネクタと前記バラスト回路基板との間に遮断壁を設けたことを特徴とする請求項１に記載の放電灯点灯装置。
【請求項３】
前記コネクタは、非防水型でありかつ呼吸孔を有していることを特徴とする請求項２に記載の放電灯点灯装置。
【請求項４】
灯具ハウジングの外側にバラストを設けるとともに、バラストハウジング内側と前記灯具ハウジング内側とを電気的に接続するためのコネクタを有する放電灯点灯装置において、
前記バラストを前記灯具ハウジングの底面に設けるとともに、前記コネクタとバラスト回路基板との間に遮断壁を設けたことを特徴とする放電灯点灯装置。
【請求項５】
灯具ハウジングの外側にバラストを設けるとともに、バラストハウジング内側と前記灯具ハウジング内側とを電気的に接続するためのコネクタを有する放電灯点灯装置において、
前記バラストを前記灯具ハウジングの側面に設けるとともに、バラスト回路基板を前記コネクタの呼吸孔よりも上方に設けたことを特徴とする放電灯点灯装置。
【請求項６】
前記バラスト回路基板は、前記バラストハウジングの内部空間における上下方向の中間位置に配置され、かつ、前記バラスト回路基板は、前記コネクタと対向しない位置に配置されることを特徴とする請求項１に記載の放電灯点灯装置。
【請求項７】
灯具ハウジングの外側にバラストを設けるとともに、バラストハウジング内側と前記灯具ハウジング内側とを電気的に接続するためのコネクタを有する放電灯点灯装置において、
前記バラストを前記灯具ハウジングの底面に設けるとともに、バラスト回路基板を前記バラストハウジング内の反灯具側に設け、かつ、前記バラスト回路基板における前記コネクタと対向する部位に孔を設けたことを特徴とする放電灯点灯装置。
【請求項８】
前記コネクタは、前記バラストハウジング内に突出していることを特徴とする請求項１又は４に記載の放電灯点灯装置。
【請求項９】
前記コネクタは、ターミナル部をインサート体とする樹脂ケース部を有し、前記ターミナル部の先端部は、前記樹脂ケース部におけるバラスト回路基板側の側面から露出していることを特徴とする請求項８に記載の放電灯点灯装置。
【発明の詳細な説明】
【技術分野】
【０００１】
本発明は、放電灯点灯装置、詳しくは、灯具ハウジングの外側にバラスト（点灯制御装置）を設けた放電灯点灯装置に関する。
【背景技術】
【０００２】
灯具ハウジングの外側にバラストを設けた放電灯点灯装置（例えば、特許文献１，２参照）は、バラストハウジング内側と灯具ハウジング内側とを電気的に接続するためのコネクタを備える。
【０００３】
そして、バルブ（高圧放電灯）の発熱が原因で灯具ハウジング内部に発生した結露がバラストハウジング内部に浸入しないよう、コネクタの周囲にシール部材を配したタイプの放電灯点灯装置、あるいは、バラストハウジング内部のバラスト回路基板に実装された電気、電子部品の発熱を逃がしバラストハウジング内部の温度上昇を抑制するために、コネクタに呼吸孔（換気孔）を設け、バラストハウジング内部と灯具ハウジング内部とを連通状態にしたタイプの放電灯点灯装置が知られている。
【特許文献１】特開平９−２８９３８３号公報（図８）
【特許文献２】特開平１０−５１１５８号公報（図２）
【発明の開示】
【発明が解決しようとする課題】
【０００４】
しかし、コネクタの周囲にシール部材を配した放電灯点灯装置においては、経年変化によりシール部材のシール性が低下すると、バラストハウジング内部の温度が下がり空気が収縮した際に、灯具ハウジング内部の結露もしくは水蒸気がシール部材のシール性低下部位からバラストハウジング内部へ吸い込まれ、バラスト回路基板や部品端子を腐食させる可能性がある。
【０００５】
また、コネクタに換気孔を設けた放電灯点灯装置においても、バラストハウジング内部の温度が下がり空気が収縮した際に、灯具ハウジング内部の結露もしくは水蒸気が換気孔からバラストハウジング内部へ吸い込まれ、浸水によりバラスト回路基板や部品端子が腐食する可能性がある。
【０００６】
本発明は、上記のような従来技術の問題点を解決し、灯具ハウジング内部の結露もしくは水蒸気がバラストハウジング内部へ吸い込まれてもバラスト回路基板や部品端子を腐食させない放電灯点灯装置を提供することを目的とする。
【課題を解決するための手段】
【０００７】
本発明の放電灯点灯装置は、灯具ハウジングの外側にバラストを設けるとともに、バラストハウジング内側と前記灯具ハウジング内側とを電気的に接続するためのコネクタを有する放電灯点灯装置において、前記バラストを前記灯具ハウジングの底面に設けるとともに、バラスト回路基板を前記バラストハウジング内の灯具側に設けたことを特徴とする。
【０００８】
本発明の放電灯点灯装置によると、バラスト回路基板をバラストハウジング内の灯具側に設けたため、灯具ハウジング内部からバラストハウジング内部へと浸入した結露もしくは水蒸気による腐食からバラスト回路基板や部品端子を保護することが可能となる。
【０００９】
ここで、前記コネクタと前記バラスト回路基板との間に遮断壁を設けるようにすると、灯具ハウジング内部からバラストハウジング内部へと浸入した結露もしくは水蒸気は、遮断壁によりバラスト回路基板側へ移動できないため、バラスト回路基板や部品端子を浸水による腐食から保護することができる。
【００１０】
なお、前記コネクタは、非防水型かつ呼吸孔を有する。
【００１１】
また、本発明の放電灯点灯装置は、灯具ハウジングの外側にバラストを設けるとともに、バラストハウジング内側と前記灯具ハウジング内側とを電気的に接続するためのコネクタを有する放電灯点灯装置において、前記バラストを前記灯具ハウジングの底面に設けるとともに、前記コネクタとバラスト回路基板との間に遮断壁を設けたことを特徴とする。
【００１２】
本発明の放電灯点灯装置によると、コネクタとバラスト回路基板との間に遮断壁を設けたため、灯具ハウジング内部からバラストハウジング内部へと浸入した結露もしくは水蒸気は、遮断壁によりバラスト回路基板側へ移動できなくなり、バラスト回路基板や部品端子を浸水による腐食から保護することができる。
【００１３】
また、本発明の放電灯点灯装置は、灯具ハウジングの外側にバラストを設けるとともに、バラストハウジング内側と前記灯具ハウジング内側とを電気的に接続するためのコネクタを有する放電灯点灯装置において、前記バラストを前記灯具ハウジングの側面に設けるとともに、バラスト回路基板を前記コネクタの呼吸孔よりも上方に設けたことを特徴とする。
【００１４】
本発明の放電灯点灯装置によると、バラスト回路基板をコネクタの呼吸孔よりも上方に設けたため、バラストハウジングの底に溜まった水によってバラスト回路基板が濡れることを防止でき、バラスト回路基板や部品端子を浸水による腐食から保護することができる。
【００１５】
前記バラスト回路基板を、前記バラストハウジングの内部空間における上下方向の中間位置に配置し、かつ、前記バラスト回路基板を、前記コネクタと対向しない位置に配置すると、コネクタから落下する水滴がバラスト回路基板上に直接付着しなくなると共に、落下した水滴がバラストハウジングの床部に溜まった場合でも、バラスト回路基板が浸水しにくくなる。
【００１６】
また、本発明の放電灯点灯装置は、灯具ハウジングの外側にバラストを設けるとともに、バラストハウジング内側と前記灯具ハウジング内側とを電気的に接続するためのコネクタを有する放電灯点灯装置において、前記バラストを前記灯具ハウジングの底面に設けるとともに、バラスト回路基板を前記バラストハウジング内の反灯具側に設け、かつ、前記バラスト回路基板における前記コネクタと対向する部位に孔を設けたことを特徴とする。
【００１７】
本発明の放電灯点灯装置によると、コネクタから落下する水滴は、バラスト回路基板の孔を通過してバラストハウジングの床部に落下するようになるため、バラスト回路基板が直接被水されなくなる。
【００１８】
前記コネクタを、前記バラストハウジング内に突出させるようにすると、水滴はバラストハウジングの内壁面を伝わって落ちるよりもコネクタの下面へ伝わりこの下面から落下し易くなる。このため、水滴がバラストハウジングの内壁面を伝わってバラスト回路基板まで達することを防止できる。
【００１９】
前記コネクタは、ターミナル部をインサート体とする樹脂ケース部を有し、前記ターミナル部の先端部を、前記樹脂ケース部におけるバラスト回路基板側の側面から露出させるようにすると、コネクタに伝わってきた水滴は、ターミナル部に付着しにくくなり、樹脂ケース部の側面を伝わって下面に達し、下面から落下するようになる。このため、水滴がターミナル部に付着し、ターミナル部及びリード線を伝わってバラスト回路基板に付着する現象を防止することができる。
【発明を実施するための最良の形態】
【００２０】
以下、本発明の実施形態を図面に基づいて説明する。
【００２１】
図１は、本発明の実施形態に係る放電灯点灯装置の全体構成を説明するための構成図、図２は、第１実施形態に係る放電灯点灯装置の要部の断面構成図、図３（A）,(B)は、第２実施形態に係る放電灯点灯装置の要部の断面構成図、図４は、第３実施形態に係る放電灯点灯装置の要部の断面構成図、図５は、第４実施形態に係る放電灯点灯装置の要部の断面構成図、図６は、第５実施形態に係る放電灯点灯装置の要部の断面構成図、図７は、第６実施形態に係る放電灯点灯装置の要部の断面構成図をそれぞれ示す。
【００２２】
図１において、１は、メタルハライドランプなど高圧放電灯（バルブ）、２は高圧放電灯１の発した光を前方へ反射するリクレクタ、３は、灯具ハウジング、４は、バラスト、５は、バラストハウジング、６は、外部電源を灯具ハウジング３内部に引き込むための電源用コネクタ、７は、バラストハウジング５内側と灯具ハウジング３内側とを電気的に接続するためのバラスト側コネクタ、８は、高圧放電灯１と電気的に接続された放電灯側コネクタ、９は、バラスト側コネクタ７と放電灯側コネクタ８とを電気的に接続するコード、１０は、電源用コネクタ６とバラスト側コネクタ７とを電気的に接続するコードをそれぞれ表している。
【００２３】
バラスト４は、図１に示すように、灯具ハウジング３の外側に設けられている。
【００２４】
図２に示す第１実施形態に係る放電灯点灯装置のバラスト４は、灯具ハウジング３の下方つまり底面に位置している。バラストハウジング５は、図示しないねじ等を用いて灯具ハウジング３の下面に固着されている。灯具ハウジング３の下面とバラストハウジング５の上面との間には、外部からバラストハウジング５内部への浸水を防止するための環状シール部材３０が配設されている。
【００２５】
バラストハウジング５は、上側ケース１１と蓋体１２とを固着して構成されている。
【００２６】
上側ケース１１には、非防水型のバラスト側コネクタ７が配設されている。バラスト側コネクタ７は、雌コネクタ１３と雄コネクタ１４とからなり、雌コネクタ１３には、バラストハウジング５内部と灯具ハウジング３内部とを連通状態にする換気孔（呼吸孔）１５が形成されている。また、雌コネクタ１３とバラストハウジング５との間には、環状シール部材３１が配設されている。
【００２７】
バラストハウジング５内に、バラスト回路基板１６が収容されている。
【００２８】
バラスト回路基板１６は、バラストハウジング５の天井部１７に、この天井部１７に沿って固着されている。バラスト回路基板１６の設置箇所は、図２に示すように、バラスト側コネクタ７の設置箇所に対して水平方向に離れた位置に設定されている。バラスト回路基板１６には、DC/DCコンバータ、演算処理回路などの電気、電子部品１８，１９が実装されている。また、バラスト回路基板１６には、バラスト側コネクタ７と電気的に接続されたリード線２０が接続されている。バラスト回路基板１６には、バラスト回路基板１６及びバラスト回路基板１６に実装された電気、電子部品１８，１９を覆うようにゲル状の防水材２１が塗布されている。
【００２９】
ゲル状の防水材２１とバラストハウジング５の内底部１２aとの間には、所定の隙間２９が形成されている。このため、換気孔１５から浸入して結露した水分が、この所定の隙間２９に溜まるため、バラスト回路基板１６や部品１８，１９の腐食を防止することができる。ここで、所定の隙間２９は、０．２mm以上が好ましく、より好ましいのは０．５mm以上である。
【００３０】
バラストハウジング５の天井部１７には、水平方向においてバラスト側コネクタ７とバラスト回路基板１６とを分離するように、遮断壁２２が吊り下がるように設けられている。遮断壁２２は、灯具ハウジング３内部から換気孔１５あるいは経年劣化によりシール性の低下した環状シール部材３１を通ってバラストハウジング５内部へと浸入した結露もしくは水蒸気をバラスト回路基板１６側へ移動させないようにするための手段である。遮断壁２２は、上側ケース１１と一体のものであってもよいし、あるいは、上側ケース１１と別体で上側ケース１１に固着されたものであってもよい。また、遮断壁２２は、ゲル状のものであってもよい。
【００３１】
バラスト４を中心として上記のように構成される第１実施形態に係る放電灯点灯装置において、バラストハウジング５内部の温度が下がり空気が収縮した際、灯具ハウジング３内部の結露もしくは水蒸気が換気孔１５あるいは経年劣化によりシール性の低下した環状シール部材３１を通ってバラストハウジング５内部へ吸い込まれるようになる。しかし、第１実施形態では、バラスト回路基板１６の設置箇所とバラスト側コネクタ７の設置箇所は水平方向に離れて位置し、かつ、バラスト回路基板１６は、バラストハウジング５の天井部１７に天井部１７に沿って設置されるとともに、遮断壁２２が天井部１７から吊り下げて設けられているため、バラストハウジング５内部に浸入した結露もしくは水蒸気は遮断壁２２によりバラスト回路基板１６側へ移動しにくくなり、また、バラストハウジング５の底に溜まった水によってバラスト回路基板１６が濡れることを防止できる。このため、バラスト回路基板１６や部品１８，１９の端子を浸水による腐食から保護することが可能となる。さらに、バラスト回路基板１６に塗布した防水材２１により、バラスト回路基板１６や部品１８，１９の端子を腐食からより一層保護することができる。
【００３２】
以上説明したように、第１実施形態の放電灯点灯装置は、灯具ハウジング３の外側にバラスト４を設けるとともに、バラストハウジング５内側と灯具ハウジング３内側とを電気的に接続するためのコネクタ７を有する放電灯点灯装置において、バラスト４を灯具ハウジング３の底面に設けるとともに、バラスト回路基板１６をバラストハウジング５内の灯具ハウジング３側に設けた。
【００３３】
この第１実施形態に係る放電灯点灯装置によると、バラスト回路基板１６をバラストハウジング５内の灯具ハウジング３側に設けたため、灯具ハウジング３内部からバラストハウジング５内部へと浸入した結露もしくは水蒸気による腐食からバラスト回路基板１６や部品１８，１９の端子を保護することが可能となる。
【００３４】
また、コネクタ７とバラスト回路基板１６との間に遮断壁２２を設けたため、灯具ハウジング３内部からバラストハウジング５内部へと浸入した結露もしくは水蒸気は、遮断壁２２によりバラスト回路基板１６側へ移動できないため、バラスト回路基板１６や部品１８，１９の端子を浸水による腐食から保護することができる。
【００３５】
図３（A）,(B)に示す第２実施形態に係る放電灯点灯装置のバラスト４は、第１実施形態と同様、灯具ハウジング３の下方に位置している。バラストハウジング５は、図示しないねじ等を用いて灯具ハウジング３の下面に固着されている。灯具ハウジング３の下面とバラストハウジング５の上面との間には、外部からバラストハウジング５内部への浸水を防止するための環状シール部材３０が配設されている。
【００３６】
バラストハウジング５は、下側ケース２３と蓋体２４とを固着して構成されている。
【００３７】
蓋体２４には、バラスト側コネクタ７が配設されている。バラスト側コネクタ７は、第１実施形態と同様、雌コネクタ１３と雄コネクタ１４とからなり、雌コネクタ１３には、バラストハウジング５内部と灯具ハウジング３内部とを連通状態にする換気孔（呼吸孔）１５が形成されている。また、雌コネクタ１３とバラストハウジング５との間には、環状シール部材３１が配設されている。
【００３８】
バラストハウジング５内に、バラスト回路基板１６が収容されている。
【００３９】
バラスト回路基板１６は、下側ケース２３の床部２５に床部２５に沿って固着されている。バラスト回路基板１６の設置箇所は、図３（A）に示すように、バラスト側コネクタ７の設置箇所に対して水平方向に離れた位置に設定されている。バラスト回路基板１６には、DC/DCコンバータ、演算処理回路などの電気、電子部品１８，１９が実装されている。また、バラスト回路基板１６には、バラスト側コネクタ７と電気的に接続されたリード線２０が接続されている。バラスト回路基板１６には、バラスト回路基板１６及びバラスト回路基板１６に実装された電気、電子部品１８，１９を覆うようにゲル状の防水材２１が塗布されている。
【００４０】
バラストハウジング５の床部２５には、水平方向においてバラスト側コネクタ７とバラスト回路基板１６とを分離するように、遮断壁２２が立設されている。遮断壁２２は、第１実施形態と同様、灯具ハウジング３内部から換気孔１５あるいは経年劣化によりシール性の低下した環状シール部材３１を通ってバラストハウジング５内部へと浸入した結露もしくは水蒸気をバラスト回路基板１６側へ移動させないようにするための手段である。遮断壁２２は、下側ケース２３と一体のものであってもよいし、あるいは、下側ケース２３と別体で下側ケース２３に固着されたものであってもよい。また、遮断壁２２は、ゲル状のものであってもよい。
【００４１】
バラスト４を中心として上記のように構成される第２実施形態に係る放電灯点灯装置において、バラストハウジング５内部の温度が下がり空気が収縮した際、灯具ハウジング３内部の結露もしくは水蒸気が換気孔１５あるいは経年劣化によりシール性の低下した環状シール部材３１を通ってバラストハウジング５内部へ吸い込まれるようになる。しかし、第２実施形態では、バラスト回路基板１６の設置箇所とバラスト側コネクタ７の設置箇所は水平方向に離れて位置し、かつ、バラスト回路基板１６は、バラストハウジング５の床部２５に床部２５に沿って設置されるとともに、遮断壁２２は、床部２５に立設されているため、バラストハウジング５内部に浸入した結露もしくは水蒸気は遮断壁２２によりバラスト回路基板１６側へ移動しにくくなり、バラスト回路基板１６や部品１８，１９の端子を浸水による腐食から保護することが可能となる。さらに、バラスト回路基板１６に塗布した防水材２１により、バラスト回路基板１６や部品１８，１９の端子を腐食からより一層保護することができる。
【００４２】
以上説明したように、第２実施形態の放電灯点灯装置は、灯具ハウジング３の外側にバラスト４を設けるとともに、バラストハウジング５内側と灯具ハウジング３内側とを電気的に接続するためのコネクタ７を有する放電灯点灯装置において、バラスト４を灯具ハウジング３の底面に設けるとともに、コネクタ７とバラスト回路基板１６との間に遮断壁２２を設けた。
【００４３】
この第２実施形態に係る放電灯点灯装置によると、灯具ハウジング３内部からバラストハウジング５内部へと浸入した結露もしくは水蒸気は、遮断壁２２によりバラスト回路基板１６側へ移動できないため、バラスト回路基板１６や部品１８，１９の端子を浸水による腐食から保護することができる。
【００４４】
図４に示す第３実施形態に係る放電灯点灯装置のバラスト４は、第１、第２実施形態とは異なり、灯具ハウジング３の側方に位置している。バラストハウジング５は、図示しないねじ等を用いて灯具ハウジング３の側面に固着されている。灯具ハウジング３の側面とバラストハウジング５の側面との間には、外部からバラストハウジング５内部への浸水を防止するための環状シール部材３０が配設されている。
【００４５】
バラストハウジング５は、灯具ハウジング３側のケース２６と蓋体２７とを固着して構成されている。
【００４６】
ケース２６には、バラスト側コネクタ７が配設されている。バラスト側コネクタ７は、バラストハウジング５の下部に位置しており、第１、第２実施形態と同様、雌コネクタ１３と雄コネクタ１４とからなり、雌コネクタ１３には、バラストハウジング５内部と灯具ハウジング３内部とを連通状態にする換気孔（呼吸孔）１５が形成されている。また、雌コネクタ１３とバラストハウジング５との間には、環状シール部材３１が配設されている。
【００４７】
バラストハウジング５内に、バラスト回路基板１６が収容されている。
【００４８】
バラスト回路基板１６は、バラストハウジング５の上部に位置しており、バラストハウジング５の灯具ハウジング３寄りの側壁部２８に、この側壁部２８に沿って固着されている。バラスト回路基板１６の設置箇所は、図４に示すように、バラスト側コネクタ７の設置箇所に対して鉛直方向に離れた位置に設定されている。バラスト回路基板１６には、DC/DCコンバータ、演算処理回路などの電気、電子部品１８，１９が実装されている。また、バラスト回路基板１６には、バラスト側コネクタ７と電気的に接続されたリード線２０が接続されている。バラスト回路基板１６には、バラスト回路基板１６及びバラスト回路基板１６に実装された電気、電子部品１８，１９を覆うようにゲル状の防水材２１が塗布されている。
【００４９】
バラストハウジング５の側壁部２８には、側壁部２８においてバラスト回路基板１６の設置箇所とバラスト側コネクタ７の設置箇所との間の部位から、遮断壁２２が略水平に延設されている。遮断壁２２は、灯具ハウジング３内部から換気孔１５あるいは経年劣化によりシール性の低下した環状シール部材３１を通ってバラストハウジング５内部へと浸入した結露もしくは水蒸気をバラスト回路基板１６側へ移動させないようにするための手段である。遮断壁２２は、ケース２６と一体のものであってもよいし、あるいは、ケース２６と別体でケース２６に固着されたものであってもよい。また、遮断壁２２は、ゲル状のものであってもよい。
【００５０】
バラスト４を中心として上記のように構成される第３実施形態に係る放電灯点灯装置において、バラストハウジング５内部の温度が下がり空気が収縮した際、灯具ハウジング３内部の結露もしくは水蒸気が換気孔１５あるいは経年劣化によりシール性の低下した環状シール部材３１を通ってバラストハウジング５内部へ吸い込まれるようになる。しかし、第３実施形態では、バラスト回路基板１６の設置箇所はバラストハウジング５の上部に、バラスト側コネクタ７の設置箇所はバラストハウジング５の下部にそれぞれ位置して両者１６，７は互いに鉛直方向に離れて位置し、かつ、バラスト回路基板１６は、バラストハウジング５の灯具ハウジング３寄りの側壁部２８に側壁部２８に沿って設置されるとともに、遮断壁２２は、側壁部２８においてバラスト回路基板１６の設置箇所とバラスト側コネクタ７の設置箇所との間の部位から、略水平に延設されている。このため、バラストハウジング５内部に浸入した結露もしくは水蒸気は遮断壁２２によりバラスト回路基板１６側へ移動しにくくなり、また、バラストハウジング５の底に溜まった水によってバラスト回路基板１６が濡れることを防止できる。このため、バラスト回路基板１６や部品１８，１９の端子を浸水による腐食から保護することが可能となる。さらに、バラスト回路基板１６に塗布した防水材２１により、バラスト回路基板１６や部品１８，１９の端子を腐食からより一層保護することができる。
【００５１】
以上説明したように、第３実施形態の放電灯点灯装置は、灯具ハウジング３の外側にバラスト４を設けるとともに、バラストハウジング５内側と灯具ハウジング３内側とを電気的に接続するためのコネクタ７を有する放電灯点灯装置において、バラスト４を灯具ハウジング３の側面に設けるとともに、バラスト回路基板１６をコネクタ７の換気孔（呼吸孔）１５よりも上方に設けた。
【００５２】
この第３実施形態に係る放電灯点灯装置によると、バラスト回路基板１６をコネクタ７の呼吸孔１５よりも上方に設けたため、バラストハウジング５の底に溜まった水によってバラスト回路基板１６が濡れることを防止でき、バラスト回路基板１６や部品１８，１９の端子を浸水による腐食から保護することができる。
【００５３】
図５に示す第４実施形態に係る放電灯点灯装置のバラスト４は、図３に示した第２実施形態に係る放電灯点灯装置のバラスト４において、遮断壁２２を取り除いて構成される。さらに、第４実施形態に係る放電灯点灯装置のバラスト４は、バラスト回路基板１６を、バラストハウジング５の蓋体１２（床部２５）よりも上方位置であってバラストハウジング５の内部空間において上下方向の中間位置に配置させて構成される。バラスト回路基板１６を上記のような中間位置に配置させる方法としては、バラストハウジング５の蓋体１２（床部２５）に支持柱部３２を設け、支持柱部３２の上にバラスト回路基板１６を載置する方法、あるいは、バラスト回路基板１６の下面に脚部３２を取り付け、脚部３２をバラストハウジング５の蓋体１２（床部２５）に固定する方法がある。その他、図示しないが、バラストハウジング５の側面から支持柱部３２に相当するバラスト回路基板支持手段を設けるようにしてもよい。
【００５４】
この第４実施形態に係る放電灯点灯装置によると、バラスト回路基板１６をバラストハウジング５の内部空間に浮かせるように配置したため、バラストハウジング５の底に溜まった水によってバラスト回路基板１６が濡れることを防止でき、バラスト回路基板１６や部品１８，１９の端子を浸水による腐食から保護することができる。
【００５５】
また、第４実施形態に係る放電灯点灯装置によると、図５に示すように、バラスト回路基板１６をバラスト側コネクタ７と対向しない位置に配置しているため、バラスト側コネクタ７から落下する水滴がバラスト回路基板１６上に直接付着しなくなる。
【００５６】
図６に示す第５実施形態に係る放電灯点灯装置のバラスト４は、図５に示した第４実施形態の変形例であり、バラスト回路基板１６をバラスト側コネクタ７と対向する位置まで延ばし、バラスト回路基板１６においてバラスト側コネクタ７と対向する部位に孔３３を設けて構成される。
【００５７】
この第５実施形態に係る放電灯点灯装置によると、第４実施形態と同様、バラスト回路基板１６をバラストハウジング５の内部空間に浮かせるように配置したため、バラストハウジング５の底に溜まった水によってバラスト回路基板１６が濡れることを防止できる。また、バラスト側コネクタ７から落下する水滴は、バラスト回路基板１６の孔３３を通過してバラストハウジング５の床部２５に落下するようになるため、バラスト回路基板１６が直接被水されなくなる。
【００５８】
図７に示す第６実施形態に係る放電灯点灯装置のバラスト４において、上記第１実施形態〜第５実施形態のバラスト側コネクタ７も同様の構成であるが、第６実施形態のバラスト側コネクタ７は、ターミナル部３４をインサート体とする樹脂ケース部３５を備える。そして、ターミナル部３４は、上記第１実施形態〜第５実施形態と異なりL字形状をしており、縦形の垂直部３６とこの垂直部３６の下端から横に延びる水平部３７とで構成される。ここで、水平部３７の先端部３８は、樹脂ケース部３５におけるバラスト回路基板１６側の側面３９から露出している。
【００５９】
この第６実施形態に係る放電灯点灯装置によると、ターミナル部３４の水平部３７の先端部３８を樹脂ケース部３５におけるバラスト回路基板１６側の側面３９から露出させたため、バラスト側コネクタ７に伝わってきた水滴は、ターミナル部３４に付着しにくくなり、樹脂ケース部３５の側面３９などを伝わって下面４０に達し、下面４０から落下するようになる。このため、水滴がターミナル部３４に付着し、ターミナル部３４及びリード線２０を伝わってバラスト回路基板１６に付着する現象を防止することができる。
【００６０】
上記第１実施形態〜第６実施形態のいずれの実施形態においても、バラスト側コネクタ７は、バラストハウジング５の内部に上方から突出している。このため、水滴はバラストハウジング５の内壁面４１を伝わって落ちるよりもバラスト側コネクタ７の下面４０へ伝わりこの下面４０から落下し易くなる。このため、水滴がバラストハウジング５の内壁面４１を伝わってバラスト回路基板まで達することを防止できる。
【００６１】
なお、上記各実施形態の組合せも、それを否定するものではない。例えば第６実施形態の基板を、第５実施形態のような空孔を設けた基板に変更して、その孔の中に、バラスト側コネクタの樹脂ケース部を通し、バラスト回路基板をコネクタの換気孔よりも上方に設けてもよい。この構成によって、換気孔からの水滴が基板に付着しにくくなると共に、バラストハウジング内部のスペースを有効に使った回路基板の配置ができる。
【００６２】
なお、上記各実施形態では、バラスト側コネクタ７に換気孔（呼吸孔）１５を設けているが、本発明は、コネクタ７に換気孔１５を設けていない場合にも適用可能である。
【図面の簡単な説明】
【００６３】
【図１】本発明の実施形態に係る放電灯点灯装置の全体構成を説明するための構成図である。
【図２】第１実施形態に係る放電灯点灯装置の要部の断面構成図である。
【図３】第２実施形態に係る放電灯点灯装置の要部の断面構成図であり、図３（A）は垂直断面図、図３（B）は水平断面図である。
【図４】第３実施形態に係る放電灯点灯装置の要部の断面構成図である。
【図５】第４実施形態に係る放電灯点灯装置の要部の断面構成図である。
【図６】第５実施形態に係る放電灯点灯装置の要部の断面構成図である。
【図７】第６実施形態に係る放電灯点灯装置の要部の断面構成図である。
【符号の説明】
【００６４】
３    灯具ハウジング
４    バラスト
５    バラストハウジング
７    バラスト側コネクタ（コネクタ）
１５    呼吸孔（換気孔）
１６    バラスト回路基板
１７    天井部
１８，１９    部品
２１    防水材
２２    遮断壁
２５    床部
２８    側壁部
３２    支持柱部もしくは脚部
３３    孔
３４    ターミナル部
３５    樹脂ケース部
３８    先端部
３９    バラスト回路基板１６側の側面
【図１】
2006164951.tif 000003
【図２】
2006164951.tif 000004
【図３】
2006164951.tif 000005
【図４】
2006164951.tif 000006
【図５】
2006164951.tif 000007
【図６】
2006164951.tif 000008
【図７】
2006164951.tif 000009